(57)【要約】【課題】便座裏洗浄または便器洗浄の洗浄水の外部への漏れをより的確に抑止できる便器装置を提供する。【解決手段】便器装置は、便鉢１２を有する便器本体１４と、便座２２と、便座２２が閉状態にあるときに、便器本体１４と便座２２とに挟まれるシール部材６０と、便座２２を便器本体１４に押し付けるための押し付け機構と、を備える。【選択図】図４
2019177010.tif 000002
【特許請求の範囲】
【請求項１】
便鉢を有する便器本体と、
便座と、
前記便座が閉状態にあるときに、前記便器本体と前記便座とに挟まれるシール部材と、
前記便座を前記便器本体に押し付けるための押し付け機構と、を備えることを特徴とする便器装置。
【請求項２】
前記シール部材は、環状に形成され、
前記便座が閉状態にあるときに、前記便器本体と前記便座とに全周にわたって挟まれることを特徴とする請求項１に記載の便器装置。
【請求項３】
前記押し付け機構は、前記便座を開閉させるためのモータを含み、前記便座を閉じるときに当該モータのモータ軸を回転させる回転方向にモータ軸を回転し続けることにより前記便座を前記便器本体に押し付けることを特徴とする請求項１または２に記載の便器装置。
【請求項４】
前記押し付け機構は、前記便座が前記便器本体に押し付けられた状態でロックするロック機構を含むことを特徴とする請求項１から３のいずれかに記載の便器装置。
【請求項５】
前記便器本体は、外側上面と、前記外側上面の内側、かつ、下方に位置する内側上面と、を有し、
前記シール部材は、前記内側上面と前記便座との間に設けられることを特徴とする請求項１から４のいずれかに記載の便器装置。
【請求項６】
前記便座の裏面に洗浄液を供給することにより当該裏面を洗浄する便座裏洗浄機構を備え、
押し付け機構は、前記便器本体または前記便座の裏面の洗浄中に、前記便座を前記便器本体に押し付けることを特徴とする請求項１に記載の便器装置。
【発明の詳細な説明】
【技術分野】
【０００１】
本発明は、便器装置に関する。
【背景技術】
【０００２】
従来より、便座の裏面を洗浄水により洗浄可能な便器装置が提案されている。例えば特許文献１には、便座に設けられた吐水口から便座の裏面を伝うように洗浄水を吐水可能な便器装置が開示されている。
【先行技術文献】
【特許文献】
【０００３】
【特許文献１】特開２００２−５４２１６号公報
【発明の概要】
【発明が解決しようとする課題】
【０００４】
便座の裏面を洗う場合や、便器本体の便鉢内を勢いよく洗う場合、便器本体と便座との隙間から洗浄水が外部へ漏れるおそれがある。
【０００５】
本発明はかかる状況に鑑みてなされたものであり、そのある態様の目的のひとつは便座裏洗浄または便器洗浄の洗浄水の外部への漏れをより的確に抑止できる便器装置を提供することにある。
【課題を解決するための手段】
【０００６】
上記課題を解決するために、本発明のある態様の便器装置は、便鉢を有する便器本体と、便座と、便座が閉状態にあるときに、便器本体と便座とに挟まれるシール部材と、便座を便器本体に押し付けるための押し付け機構と、を備える。
【発明の効果】
【０００７】
本発明によれば、便座裏洗浄または便器洗浄の洗浄水の外部への漏れをより的確に抑止できる。
【図面の簡単な説明】
【０００８】
【図１】実施の形態に係る便器装置が用いられるトイレシステムの斜視図である。
【図２】図１の便座ユニットおよびボックスの斜視図である。
【図３】図１の便座ユニットおよびボックスの下面図である。
【図４】図１の便器装置の一部を拡大して示す拡大断面図である。
【図５】図１のトイレシステムの制御系を示すブロック図である。
【図６】変形例に実施の形態の便器装置を示す側面図である。
【図７】図７（ａ）、（ｂ）はそれぞれ、変形例に係るシール部材とその周辺を示す断面図である。
【図８】変形例に係る便器装置の断面図である。
【図９】変形例に係る便器装置の断面図である。
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、本明細書において、「上」、「下」、「左」、「右」はそれぞれ、洗面化粧台を利用する利用者から見た上、下、左、右をいう。また、「前」、「後」はそれぞれ、利用者から見て手前側、奥側をいう。
【００１０】
図１は、実施の形態に係る便器装置１０が用いられるトイレシステムの斜視図である。図２は、便座ユニット１６およびボックス２０の斜視図である。トイレシステム１は、トイレルーム（個室）内に設置される便器装置１０と、トイレルームの壁面に設置されるリモートコントロール装置８と、を備える。リモートコントロール装置８は、複数の入力部８ａと、表示部８ｂと、を含む。入力部８ａは、便座裏洗浄の開始操作、停止操作をするためのボタンや、便座２２（後述）を開閉させるためのボタン等を含む。
【００１１】
便器装置１０は、便器本体１４と、便座ユニット１６と、ボックス２０と、を備える。便器本体１４は、略漏斗状の汚物を受けるための便鉢１２と、便鉢１２の外周側や不図示の便器排水路を隠すようにそれらを囲む外周壁部１３と、を含む。ボックス２０は、便器本体１４の後部上方に設けられる。ボックス２０には、各種の部品が収容される。
【００１２】
便座ユニット１６は、便座２２と、便蓋２４と、シャッター３８と、便座開閉モータ４０と、を備える。なお、便座ユニット１６の説明においては、便座２２が閉状態にあるときを基準に方向を表現する。
【００１３】
便座２２は、不図示のヒンジ機構を介してボックス２０に回動可能に取り付けられる。便座２２は、全体として環状をなすよう形成され、着座したユーザが排泄した汚物を通すための中央開口部３２を有する。また便座２２は、中空に形成され、その内部には少なくともひとつの機能部品が収容される。機能部品は、便器本体１４に付随して用いられる、所定の機能を発揮する部品である。この例では、中央開口部３２の後方に、局部洗浄装置２６、乾燥装置２８および脱臭装置３０の３つの第２機能部品が収容されている。
【００１４】
便座２２の裏面には、中央開口部３２の後方に、便座２２の内外を連通する開口部３６が形成されている。シャッター３８は、開口部３６を開閉可能に構成される。局部洗浄装置２６、乾燥装置２８、脱臭装置３０を動作させる場合は、開口部３６が開いた状態にする。
【００１５】
局部洗浄装置２６は、便座２２に着座するユーザの局部を洗浄する。脱臭装置３０は、便鉢１２内で発生する臭気を吸引して脱臭する。
【００１６】
乾燥装置２８は、ファン（不図示）により気体（空気）を吸い込み、ヒータ（不図示）により吸い込んだ空気を温め、温めた空気を乾燥風として吹き出す。乾燥装置２８は、ユーザの局部に乾燥風を吹き付けて局部を乾燥させる。また、乾燥装置２８は、後述のように便座裏洗浄後に便座裏に乾燥風を吹き付けて便座裏を乾燥させる。
【００１７】
便座開閉モータ４０は、便座２２内に収容される。便座開閉モータ４０の回転軸４０ａの回転に伴って、便座２２が開閉する。以下、便座２２が便器本体１４の便鉢１２に倒伏した状態を「閉状態」と呼ぶ。図１では、便座２２が閉状態にある様子を示している。
【００１８】
便蓋２４は、便座２２と同様に、不図示のヒンジ機構を介してボックス２０に回動可能に取り付けられる。便蓋２４は、不図示の便蓋開閉モータに駆動されて開閉する。
【００１９】
図３は、便座ユニット１６およびボックス２０の下面図である。便器装置１０は、便座２２の裏面２２ａを洗浄液で洗浄するための便座裏洗浄機構４２と、その洗浄液の漏れ出しを抑制するシール部材６０と、をさらに備える。
【００２０】
便座裏洗浄機構４２は、便座２２の裏面２２ａを伝うように洗浄液を吐出可能な少なくとも１つ（この例では５つ）の吐出部４６と、吐出部４６に洗浄液を供給するための給液路４８と、給液路の途中に設けられ、給液路４８を開閉可能な開閉弁５０と、を含む。開閉弁５０は、例えば電磁弁であり、制御部７０（後述）からの制御指令に応じて開閉する。給液路４８は、ボックス２０や便座２２の内部に配置されるホース等により構成される。給液路４８は、共通路４８ａと、共通路４８ａから分岐して各吐出部４６に繋がる少なくとも１つの分岐路４８ｂと、を含む。
【００２１】
吐出部４６は、本実施の形態では、便座２２の裏面２２ａに便座２２と一体に形成されている。吐出部４６は、分岐路４８ｂと繋がる流入口（不図示）と、洗浄液を吐出するための吐出口４６ａと、流入口と吐出口４６ａとを連通する連通孔（不図示）と、を有する。
【００２２】
開閉弁５０が給液路４８を開くと、給液路４８から吐出部４６に洗浄液が供給され、吐出部４６の吐出口４６ａから便座２２の裏面２２ａを伝うように洗浄液が吐出される。これにより、便座２２の裏面２２ａが洗浄される。開閉弁５０が給液路を閉じると、給液路４８から吐出部４６への洗浄液の供給が停止し、吐出部４６からの洗浄液の吐出が停止する。
【００２３】
図４は、便器装置１０の一部を拡大して示す拡大断面図である。図４の便座２２の断面図は、図３のＡ−Ａ線断面図に対応する。図３に加えて図４を参照する。シール部材６０は、ゴム等の弾性体である。シール部材６０は、例えば接着剤により、便座２２の裏面２２ａに固定される。シール部材６０は、吐出部４６の外側すなわち吐出部４６に対して中央開口部３２とは反対側に設けられ、便座２２が閉状態にあるときには便座２２と便鉢１２とに挟み込まれ、便座裏洗浄において洗浄液が便座２２と便鉢１２との間から外に漏れ出るのを抑制する。シール部材６０は、好ましくは、図３に示すように環状に形成され、中央開口部３２およびすべての吐出部４６環囲するように便座２２の裏面２２ａに固定され、便座２２が閉状態にあるときには全周にわたって便座２２と便鉢１２とに挟み込まれる。
【００２４】
例えば製造誤差により、便鉢１２および便座２２のシール部材６０との接触面が平坦でないことがある。この場合、単に便座２２を閉状態にしただけでは、シール部材６０と便座２２および／または便鉢１２との間に隙間が生じ、この隙間から洗浄液が漏れ出しうる。そこで、少なくとも便座裏洗浄中は、便座２２を便鉢１２に対して押し付けて（付勢して）シール部材６０と便座２２および便鉢１２との密着度を上げる、すなわちシール部材６０と便座２２および便鉢１２との隙間を低減する。本実施の形態では、後述のように便座裏洗浄中は便座開閉モータ４０を便座２２を閉じる方向に回転させ続ける。これにより、便座２２を便鉢１２に押し付けた状態が維持される。
【００２５】
ここで、一般的に、便座２２は樹脂で形成され、便鉢１２は陶器で形成される。陶器は樹脂よりも加工精度が低く、したがって、便鉢１２の製造誤差は比較的大きい。また、シール部材６０と便座２２とは、接着剤等により固定する際に、それらの間に隙間が生じないように固定すればよい。そこで本実施の形態では、少なくとも便鉢１２の公差（例えば３ｍｍ〜７ｍｍ）以上にシール部材６０がつぶれてシール部材６０と便鉢１２との密着度が上がるように、すなわちシール部材６０と便鉢１２との隙間が低減されるように、シール部材６０の硬度と便座２２を便鉢１２に対して押し付ける押し付け力を決定する。これらは、実験により決定されればよい。
【００２６】
変形例として、シール部材６０は便鉢１２の上面１２ａに固定されてもよい。この場合も、シール部材６０は、好ましくは、環状に形成され、便座２２が閉状態にあるときにすべての吐出部４６を環囲し、全周にわたって便座２２と便鉢１２とに挟み込まれるように設けられる。
【００２７】
図５は、トイレシステム１の制御系を示すブロック図である。ここに示す各ブロックは、ハードウエア的には、コンピュータのＣＰＵ（central processing unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００２８】
便器装置１０は、人体検知センサ５２と、接触検知センサ（着座検知センサ）５４と、開閉検知センサ５６と、制御部７０と、をさらに含む。
【００２９】
人体検知センサ５２は、非接触で、所定の検知範囲内にいる人体（ユーザ）を検知する。本実施の形態では、人体検知センサ５２は、トイレルーム（個室）内にいるユーザを検知するよう構成される。人体検知センサ５２は、便座２２および便蓋２４の開閉状態を問わず人体を検出可能な位置に設けられる。人体検知センサ５２は、検知結果を制御部７０に送信する。
【００３０】
接触検知センサ５４は、例えば静電センサであり、便座２２へのユーザの接触を検知する。具体的には接触検知センサ５４は、ユーザが便座２２に着座してユーザの臀部が便座２２に触れると接触（着座）を検知する。また接触検知センサ５４は、ユーザが便座２２を上げようとしてユーザの手が便座２２に触れたりすると、接触を検知する。接触検知センサ５４は、検知結果を制御部７０に送信する。
【００３１】
開閉検知センサ５６は、例えば角度センサであり、便座２２の開閉を検知する。開閉検知センサ５６は、検知結果を制御部７０に送信する。
【００３２】
制御部７０は、通信部７２と、動作制御部７４と、記憶部７６と、を含む。通信部７２は、リモートコントロール装置８から送信された無線信号を受信して、ユーザによる便器装置１０に対する操作内容を特定する。
【００３３】
動作制御部７４は、便座裏洗浄機構４２による便座裏洗浄の開始と停止を制御する。また、動作制御部７４は、便座裏洗浄後に乾燥装置２８による便座裏の乾燥を制御する。以下、具体的に説明する。
【００３４】
便座裏洗浄の開始制御について説明する。動作制御部７４は、便座２２が閉状態にあり、かつ、例えば以下のＡ１〜Ａ４のいずれかの開始条件が成立すると、便座裏洗浄を開始させる。具体的には動作制御部７４は、まず便座２２を閉じるときに便座開閉モータ４０の回転軸４０ａを回転させる回転方向に回転軸４０ａを回転させ続ける。これにより、便座２２が便鉢１２に対して押し付けられ、シール部材６０と便座２２および便鉢１２との密着度が上がる。動作制御部７４は、この状態で、開閉弁５０に給液路４８を開かせる。なおＡ２〜Ａ４については、採用する開始条件をユーザが選択できてもよい。
【００３５】
Ａ１．ユーザがリモートコントロール装置で便座裏洗浄の開始操作をした場合
【００３６】
Ａ２．あらかじめスケジュールされた便座裏洗浄の開始時刻になった場合
便座裏洗浄を実行するスケジュールは予め記憶部７６に記憶される。動作制御部７４は、記憶部７６を定期的に参照し、スケジュールされた日時になると、便座裏洗浄を開始させる。便座裏洗浄は、例えば１日１回、決められた時刻に実行するようスケジュールされてもよいし、また例えば１週間に１回、決められた時刻に実行するようスケジュールされてもよいし、また例えば特定の曜日の決められた時刻に実行するようスケジュールされてもよい。
【００３７】
Ａ３．前回の便座裏洗浄の実行から所定時間が経過した場合
動作制御部７４は、例えば便座裏洗浄の開始時刻を基準として、前回の便座裏洗浄から所定時間（例えば１時間、３時間または５時間）が経過した場合に実行する。この場合、所定時間は予め記憶部７６に記憶される。また、前回の便座裏洗浄の実行時刻（例えば開始時刻）も記憶部７６に記憶される。動作制御部７４は、記憶部７６を定期的に参照し、前回の便座裏洗浄の開始時刻から所定時間経過していた場合、便座裏洗浄を開始させる。動作制御部７４は、便座裏洗浄を開始すると、記憶部７６の実行時刻（開始時刻）を今回の時刻に更新する。
【００３８】
Ａ４．前回の便座裏洗浄後の便器装置１０の使用回数が所定回数に到達した場合
動作制御部７４は、便器洗浄の回数を便器装置１０の使用回数と見なして便器装置１０の使用回数を数える。なお、便器洗浄とは、便鉢１２に洗浄水を供給して排泄された汚物を排出させるとともに便鉢１２を洗浄することをいう。便器装置１０の使用回数は、記憶部７６に記憶される。動作制御部７４は、便器洗浄が実行されるごとに、記憶部７６の使用回数を１インクリメントすると。動作制御部７４は、使用回数が所定回数に到達すると、便座裏洗浄を開始させるとともに、記憶部７６の使用回数を０にクリアする。例えば所定回数が１の場合は、便器装置１０の使用後に毎回、便座裏洗浄が実行され、所定回数が１０の場合は、１０回使用するごとに便座裏洗浄が実行される。
【００３９】
動作制御部７４は、Ａ１〜Ａ４のいずれかの開始条件が成立したにもかかわらず便座２２が開状態にあるときは、便座裏洗浄をスキップしてもよいが、便座開閉モータ４０を制御して便座２２を閉状態にし、便座裏洗浄を開始させてもよい。
【００４０】
また、ユーザがリモートコントロール装置で便座裏洗浄の開始操作した場合、その直後はユーザはトイレルームにいると考えられる。この場合、Ａ１〜Ａ４のいずれかの開始条件が成立したにもかかわらず便座２２が開状態にあるときは、便座２２を閉じるようにユーザに通知してもよい。通知は、音声による通知であっても、リモートコントロール装置８の表示部８ｂを介した通知であってもよい。
【００４１】
次に、便座裏洗浄の停止制御について説明する。動作制御部７４は、以下のＢ１〜Ｂ６のいずれかの停止条件が成立すると、便座裏洗浄を停止させる。具体的には動作制御部７４は、まず開閉弁５０に給液路４８を閉じさせる。そして動作制御部７４は、便座開閉モータ４０の回転軸４０ａの回転を停止させる。好ましくは動作制御部７４は、開閉弁５０を閉じてから所定時間が経過してから便座開閉モータ４０の回転軸４０ａの回転を停止させる。この所定時間には、すでに開閉弁５０を越えた給液路４８内の洗浄液が確実に流れきる時間が設定される。なおＢ４〜Ｂ６については、採用する開始条件をユーザが選択できてもよい。
【００４２】
Ｂ１．決められた洗浄時間、便座裏洗浄を実行した場合
【００４３】
Ｂ２．ユーザがリモートコントロール装置で便座裏洗浄の停止操作をした場合
【００４４】
Ｂ３．ユーザがリモートコントロール装置で便座２２を開状態にする操作をした場合
動作制御部７４は、便座裏洗浄を停止させてから、便座開閉モータ４０を制御して便座２２を上げる。動作制御部７４は、開閉弁５０を閉じてから、吐出部４６からの吐出が確実に停止する所定期間が経過してから、便座２２を上げる。
【００４５】
Ｂ４．人体検知センサ５２により人体が検知された場合
トイレルーム内にユーザがいると、万が一に便座裏洗浄の洗浄液が中央開口部３２等から周囲に飛び散って、ユーザに洗浄液がかかるおそれがある。また、便座裏洗浄中は便座２２は便座開閉モータ４０により便鉢１２に押し付けられているが、ユーザが比較的大きな力をかければ便座２２を上げることができる。この場合、便座裏洗浄の洗浄液が周りに飛び散るおそれがある。そこで動作制御部７４は、人体検知センサ５２が人体を検知した場合、すなわちユーザがトイレルーム（個室）に入室してきた場合、便座裏洗浄を停止させる。
【００４６】
ただし、トイレルーム内でユーザがリモートコントロール装置を操作して便座裏洗浄を開始させたときは、人体検知センサ５２が検知しても、便座裏洗浄を停止させない。なお、リモートコントロール装置を操作して便座裏洗浄を開始させた場合でも、開始から所定時間経過後は、便座裏洗浄を開始させたユーザとは別のユーザが入室してくる可能性があるため、人体検知センサ５２が検知した場合に便座裏洗浄を中止させてもよい。
【００４７】
Ｂ５．接触検知センサ５４によりユーザが便座２２に接触したことが検知された場合
便座裏洗浄中にユーザが便座２２に着座すると、万が一に便座裏洗浄の洗浄液が中央開口部３２等から周囲に飛び散って着座しているユーザにかかるおそれがある。また、上述したように、便座裏洗浄中でもユーザが比較的大きな力をかければ便座２２を上げることができ、その場合、便座裏洗浄の洗浄液が周りに飛び散るおそれがある。そこで動作制御部７４は、接触検知センサ５４がユーザが便座２２に接触したことを検知した場合、便座裏洗浄を停止させる。
【００４８】
Ｂ６．開閉検知センサ５６が便座２２が非閉状態になったことを検知した場合
上述したように、便座裏洗浄中でもユーザが比較的大きな力をかければ便座２２を上げることができ、その場合、便座裏洗浄の洗浄液が周りに飛び散るおそれがある。そこで動作制御部７４は、開閉検知センサ５６が便座２２が非閉状態になったことを検知した場合、便座裏洗浄を停止させる。
【００４９】
次に、便座裏洗浄後の乾燥制御について説明する。
動作制御部７４は、便座裏洗浄機構４２による便座裏洗浄が停止すると、便座２２が閉状態であれば、乾燥装置２８に便座裏乾燥を実行させる。具体的には乾燥装置２８は、便座２２の裏面に乾燥風を吹き付ける。これにより、比較的大きい水滴は便鉢１２に落ちる。乾燥風の風圧により、便座２２の裏面に付着した洗浄液は乾燥風の下流に集まる。集まった洗浄液は比較的大きな水滴を形成し、乾燥風を受けて便鉢１２に落ちる。また、乾燥装置２８は、便座２２の裏面に乾燥風として温風を吹き付ける（送風する）。これにより、便座２２の裏面に付いた洗浄液は揮発する。なお、乾燥風の風速、温度、吹き付け時間は実験で定めることができる。
【００５０】
つづいて、本実施の形態が奏する効果について述べる。本実施の形態によれば、便座２２が非閉状態であるときは便座裏洗浄が実行されないため、便座裏洗浄において吐出部４６から吐出される洗浄液が便器装置１０の周囲に飛び散るのが抑止される。
【００５１】
また、本実施の形態によれば、便座裏洗浄中に人体検知センサ５２がユーザを検知すると、すなわちトイレルーム（個室）への入室を検知すると、便座裏洗浄が停止される。これにより、便座裏洗浄の洗浄液がユーザにかかるのを抑止できる。また、ユーザが便座裏洗浄中に便座２２を上げて洗浄液が便器装置１０の周囲に飛び散る、といった事態が生じるのを抑止できる。
【００５２】
また、本実施の形態によれば、便座裏洗浄中に接触検知センサ（着座検知センサ）５４がユーザが便座２２に接触したことを検知すると、便座裏洗浄が停止される。例えば、ユーザが便座２２に着座すると便座裏洗浄が停止される。これにより、便座２２に着座したユーザに便座裏洗浄の洗浄液がかかってユーザに不快な思いをさせるのを抑止できる。また例えば、ユーザが便座２２を上げようと便座２２に触れると便座裏洗浄が停止される。これにより、ユーザが便座裏洗浄中に便座２２を上げて洗浄液が便器装置１０の周囲に飛び散る、といった事態が生じるのを抑止できる。
【００５３】
また、本実施の形態によれば、便座裏洗浄中に開閉検知センサ５６が便座２２が非閉状態になったことを検知すると、便座裏洗浄が停止される。これにより、ユーザが便座２２を上げると便座裏洗浄が停止されるため、洗浄液が便器装置１０の周囲に飛び散るのを抑止できる。
【００５４】
また、本実施の形態によれば、便座裏洗浄中は、便座２２は便鉢１２に対して押し付けられ、言い換えると便座２２は閉方向に付勢される。これにより、便座２２を上げにくくなり、ユーザが便座裏洗浄中に便座２２を上げて洗浄液が便器装置１０の周囲に飛び散る、といった事態が生じるのを抑止できる。また、これにより、シール部材６０と便座２２および便鉢１２との密着度が上がり、便座裏洗浄の洗浄液が便座２２と便鉢１２との間から漏れ出るのが抑止される。
【００５５】
また、本実施の形態によれば、便座２２は便座開閉モータ４０によって閉方向に付勢される。つまり、便座２２を閉方向に付勢するための専用の機構を別途設けることなく、便座２２を閉方向に付勢できる。
【００５６】
また、本実施の形態によれば、好ましくは、シール部材６０は、環状に形成され、全周にわたって便座２２と便鉢１２とに挟み込まれる。これにより、便座裏洗浄の洗浄液が便座２２と便鉢１２との間から漏れ出るのをより確実に抑止できる。
【００５７】
また、本実施の形態によれば、便座裏洗浄後に、乾燥装置２８により便座２２の裏面が乾燥される。これにより、便座２２の裏面に付着した洗浄液（水分）を起因とするカビや雑菌の発生を抑えられ、便器装置１０を清潔に保つことができる。
【００５８】
また、本実施の形態によれば、便座２２の裏面の乾燥では、乾燥風を便座２２の裏面に乾燥風を吹き付ける。これにより、便座２２の裏面に付着した比較的大きな洗浄液の水滴は便鉢１２に落ちる。また、乾燥風の風圧により、便座２２の裏面に付着した洗浄液は乾燥風の下流に集まる。集まった洗浄液は比較的大きな水滴を形成し、乾燥風を受けて便鉢１２に落ちる。その結果、便座２２の裏面は乾燥する。
【００５９】
また、本実施の形態によれば、便座２２の裏面の乾燥では、乾燥風として温風を便座２２の裏面に吹き付ける。これにより、便座２２の裏面に付着した洗浄液が揮発し、その結果、便座２２の裏面は乾燥する。
【００６０】
以上、実施の形態に係る便器装置１０について説明した。この実施の形態は例示であり、各構成要素の組み合わせにいろいろな変形例が可能なこと、またそうした変形例も本発明の範囲にあることは当業者に理解されるところである。
【００６１】
（変形例１）
図６は、変形例に実施の形態の便器装置１０を示す側面図である。本変形例では、ロック機構により便座裏洗浄中に便座２２が上げられるのを抑止し、またロック機構により便座２２を便鉢１２に対して押し付けてシール部材６０と便座２２および便鉢１２との密着度を上げる。以下、便器装置１０について実施の形態に係る便器装置１０との相違点を中心に説明する。
【００６２】
便器装置１０は、便器本体１４と、便座ユニット１６と、ボックス（不図示）と、便座裏洗浄機構（不図示）と、シール部材（不図示）と、ロック機構８０と、を備える。
【００６３】
ロック機構８０は、便座ユニット１６の後方に設けられる。ロック機構８０は、ロックピン８２と、駆動装置８４と、を含む。ロックピン８２は、前後方向に延在する棒状の部材であり、駆動装置８４を介して便器本体１４に固定される。駆動装置８４は、制御部７０の動作制御部７４に制御され、ロックピン８２を前後に移動させる。便座２２には、ロックピン８２が進入可能に構成された孔２２ｂが形成されている。ロックピン８２が便座２２の孔２２ｂに進入すると、便座２２は閉状態にロックされる。ロックピン８２が便座２２の孔２２ｂから退避すると、便座２２のロックが解除される。なお図６では、ロックピン８２が便座２２の孔２２ｂに進入し、便座２２が閉状態にロックされた状態を示している。
【００６４】
動作制御部７４は、実施の形態と同様に、便座２２が閉状態にあり、かつ、Ａ１〜Ａ４のいずれかの開始条件が成立すると、便座裏洗浄を開始させる。具体的には動作制御部７４は、まず便座２２を閉じるときに便座開閉モータ４０の回転軸４０ａを回転させる回転方向に回転軸４０ａを回転させ続ける。これにより、便座２２が便鉢１２に対して押し付けられ、シール部材６０と便座２２および便鉢１２との密着度が上がる。動作制御部７４は、この状態で、ロック機構８０の駆動装置８４を制御して、ロックピン８２を孔２２ｂに進入させ、便座２２を閉状態にロックする。動作制御部７４は、便座開閉モータ４０の回転軸４０ａの回転を停止させる。便座２２はロック機構８０により便鉢１２に押し付けられた状態で維持されているため、便座開閉モータ４０の回転軸４０ａの回転を止めても、シール部材６０と便座２２および便鉢１２との密着度は上がったままとなる。そして動作制御部７４は、開閉弁５０に給液路４８を開かせる。
【００６５】
また、動作制御部７４は、実施の形態と同様に、Ｂ１〜Ｂ６のいずれかの停止条件が成立すると、便座裏洗浄を停止させる。具体的には動作制御部７４は、開閉弁５０に給液路４８を閉じさせる。そして動作制御部７４は、ロックピン８２を孔２２ｂから退避させ、便座２２のロックを解除する。
【００６６】
便器装置１０によれば、実施の形態に係る便器装置１０と同様の作用効果を奏することができる。加えて、便器装置１０によれば、便器裏洗浄中に便座２２を上げられなくなるため、便座裏洗浄中にユーザが便座２２を上げて洗浄液が飛び散る、といった事態が生じるのを防ぐことができる。
【００６７】
（変形例２）
実施の形態では、便座裏洗浄中は便座開閉モータ４０の回転軸４０ａを回転させ続けて便座２２を閉方向に付勢する場合について説明したが、便座２２を上げられるのを抑止する目的だけであれば、便座裏洗浄中で、かつ、人体検知センサ５２が人体を検知している場合だけ、すなわち便座裏洗浄中で、かつ、ユーザがトイレルームに入室している場合だけ、便座２２を閉方向に付勢してもよい。また、人体検知センサ５２が人体を検知していないときは便座開閉モータ４０の回転軸４０ａを比較的低い回転数で回転させ続け、人体検知センサ５２が人体を検知しているときは便座開閉モータ４０の回転軸４０ａを比較的高い回転数で回転させ続けてもよい。
【００６８】
また、上述の変形例では、便座裏洗浄中は便座２２を上げられないようにロック機構８０によりロックする場合について説明したが、便座２２を上げられるのを抑止する目的だけであれば、便座裏洗浄中で、かつ、人体検知センサ５２が人体を検知している場合だけ、すなわち便座裏洗浄中で、かつ、ユーザがトイレルームに入室している場合だけ、便座２２を上げられないようにロックしてもよい。
【００６９】
（変形例３）
実施の形態および上述の変形例では、動作制御部７４は、便座裏洗浄に関して便蓋２４の開閉状態は問わなかったが、便蓋２４の開閉状態を便座裏洗浄の開始条件および停止条件に含めてもよい。具体的には、動作制御部７４は、便座２２が閉状態であっても便蓋２４が非閉状態であるときは、便座裏洗浄を開始させないこととしてもよい。つまり動作制御部７４は、便座２２だけでなく便蓋２４も閉状態であり、かつ、上述のＡ１〜Ａ４のいずれかの開始条件が成立したときに、便座裏洗浄を開始させてもよい。また、動作制御部７４は、便座裏洗浄の実行中に便蓋２４が非閉状態とされた場合は、便座２２が閉状態であっても、便座裏洗浄を停止させてもよい。これらの場合、万が一に便座裏洗浄の洗浄液が便座２２の中央開口部３２等から飛び出ても、便蓋２４で受けられる。つまり、便座裏洗浄の洗浄液が便器装置１０の外に飛び散るのを抑止でき、トイレルームを清潔に保てる。
【００７０】
（変形例４）
実施の形態および上述の変形例では特に言及しなかったが、シール部材６０の構成には、様々な変形例が考えられる。図７（ａ）、（ｂ）はそれぞれ、変形例に係るシール部材６０とその周辺を示す断面図である。図７（ａ）、（ｂ）では、便座２２を便鉢１２に押し付ける前の状態を示している。
【００７１】
図７（ａ）では、シール部材６０は、便鉢１２側（固定されない側）が便座２２から離れるほど細くなるよう形成されている。この場合、シール部材６０の便鉢１２側は変形しやすく、シール部材６０を便座２２と便鉢１２とで挟み込んだときの密着度が上がる。
【００７２】
図７（ｂ）では、シール部材６０は、ゴム製であり、便座２２側（固定されている側）の比較的硬度の高い（例えば硬度が６０度以上の）第１部分６０ａと、便鉢１２側の比較的硬度の低い（例えば硬度が３０以下の）第２部分６０ｂとが二色成形により一体化されている。この場合、硬度が高い第１部分６０ａは、便座２２が便鉢１２と直接接触しないように便座２２およびユーザの体重を受ける。硬度が低い第２部分６０ｂは、大きく変形して便鉢１２と密着する。
【００７３】
（変形例５）
図８は、変形例に係る便器装置の断面図である。図９は図４に対応する。便座２２の裏面２２ａのうち、便鉢１２の上面１２ａと対向する外側部分２２ａ１よりも内側の内側部分２２ａ２が、水平面に対して傾斜した傾斜面となるように形成される。図９の例では、内側部分２２ａの断面形状は逆Ｕ字状を有する。本変形例によれば、乾燥風を吹き付けると、内側部分２２ａに付着した洗浄液は傾斜面を伝って便鉢１２に落ちる。つまり、洗浄液が落ちやすくなる。
【００７４】
（変形例６）
図９は、変形例に係る便器装置の断面図である。図８は図４に対応する。本変形例では、便鉢１２は、外側上面１２ａ１と、外側上面１２ａ１の内側、かつ、下側に位置する内側上面１２ａ２と、を有する。外側上面１２ａ１と、内側上面１２ａ２とは、連結壁１２ｂにより連結されている。シール部材６０は、便座２２が閉位置にあるときに、便座２２の裏面２２ａと、内側上面１２ａ２とに挟み込まれる。この場合、仮にシール部材６０の外側に洗浄液が漏れ出ても、洗浄液は連結壁１２ｂによってせき止められる。つまり、本変形例によれば、洗浄液の漏れ出しをより確実に抑えることができる。
【００７５】
（変形例７）
実施の形態では特に言及しなかったが、便座裏洗浄機構４２による便座裏洗浄には、洗浄態様が異なる複数の洗浄モードがあってもよい。例えば、便座裏洗浄機構４２による便座裏洗浄には、以下の少なくとも１つが異なる複数の洗浄モードがあってもよい。
・洗浄時間（すなわち洗浄液の吐出時間）
・すべての吐出口４６ａから吐出される吐出流量の合計
・洗浄液の温度
・洗浄液の種類（例えば、水、洗剤を含んだ水など）
【００７６】
例えば、便座裏洗浄機構４２による便座裏洗浄には、第１洗浄モードと、第１洗浄モードよりも洗浄時間が長く、かつ、吐出流量が多い第２洗浄モードと、第２洗浄モードよりも洗浄時間が長く、かつ、洗浄液の温度が高い第３洗浄モードがあってもよい。
【００７７】
なお、吐出流量の合計は、各吐出口４６ａからの吐出流量を増減させることで調整されてもよいし、吐出する吐出口４６ａの数を増減させることで調整されてもよい。
【００７８】
複数の洗浄モードは、例えば以下のいずれか、または、これらの組み合わせによって使い分けられてもよい。
・予め決められたスケジュール
・前回の便座裏洗浄後の便器装置１０の使用回数
・ユーザが小便したか大便したか
・リモートコントロール装置８に対する操作
【００７９】
例えば、動作制御部７４は、便器装置１０が使用されるごとに、第１洗浄モードで便座裏洗浄を実行し、１日に１回、決められた時刻に、第２洗浄モードで便座裏洗浄を実行し、１週間に１回、決められた時刻に、第３洗浄モードで便座裏洗浄を実行してもよい。
【００８０】
また例えば、動作制御部７４は、前回の便座裏洗浄後の便器装置１０の使用回数が１０回に到達すると、第１洗浄モードで便座裏洗浄を実行し、当該使用回数が３０回に到達すると、第２洗浄モードを実行してもよい。
【００８１】
また例えば、動作制御部７４は、小便後は、第１洗浄モードで便座裏洗浄を実行し、大便後は、第２洗浄モードを実行してもよい。なお、動作制御部７４は、ユーザが小便したか、大便したかを、例えばユーザが便座２２に着座していた時間、すなわち接触検知センサ５４が検知していた時間に基づいて判断してもよい。
【００８２】
また、リモートコントロール装置８において実行する洗浄モードを選択でき、動作制御部７４は、リモートコントロール装置で便座裏洗浄の開始操作がなされると、選択された洗浄モードで便座裏洗浄を実行してもよい。
【００８３】
（変形例８）
実施の形態では、制御部７０による制御（すなわち電気的な制御）により、便座２２が非閉状態では便座裏洗浄が実行されない場合について説明したが、機械的にこれが実現されてもよい。具体的には、例えば開閉弁５０が機械式の弁であり、便座２２が非閉状態になるとそれに連動して機械的に開閉弁５０が閉じられるように構成されてもよい。
【００８４】
（変形例９）
実施の形態では、接触検知センサ５４が着座検知センサの機能を実現する場合について説明したが、これに限られず、便器装置１０は、接触検知センサ５４に代えて、あるいは接触検知センサ５４とは別に、着座検知センサを備えていてもよい。この着座検知センサは、ユーザまでの距離により着座を検知をするものであってもよく、便座２２の裏面に設置されるスイッチを含むものであって、便座２２に着座されるとスイッチが押されて着座を検知するものであってもよい。
【００８５】
（変形例１０）
実施の形態および上述の変形例では、便座裏洗浄中に便座２２を便鉢１２に対して押し付けてシール部材６０と便座２２および便鉢１２との密着度を上げる場合について説明したが、これに限られず、例えば便器洗浄中に便座２２を便鉢１２に対して押し付けてもよい。具体的には例えば、動作制御部７４は、ユーザがリモートコントロール装置８で便器洗浄の開始操作をした場合に、例えば便座開閉モータ４０を便座２２を閉じる方向に所定時間（便器洗浄が確実に終了するまでの時間）回転させ続けてもよい。これにより、便座２２が便鉢１２に対して押し付けられる。
【００８６】
（変形例１１）
実施の形態および上述の変形例では特に言及しなかったが、便座２２を便鉢１２に対して押し付けてシール部材６０と便座２２および便鉢１２との密着度を上げた状態で便座裏乾燥を実行してもよい。具体的には例えば、動作制御部７４は、便座裏洗浄機構４２による便座裏洗浄が停止すると、例えば便座開閉モータ４０を便座２２を閉じる方向に所定時間回転させ続ける。これにより、便座２２が便鉢１２に対して押し付けられる。なお、便座裏洗浄の開始から便座裏乾燥の終了までの間、便座２２を便鉢１２に押し付けた状態を維持してもよい。動作制御部７４は、便座２２を便鉢１２に押し付けた状態で、乾燥装置２８に便座裏乾燥を実行させる。本変形例によれば、乾燥装置２８からの乾燥風により吹き飛ばされた洗浄液が、便座と便器本体との間から漏れ出るのが抑止される。
【００８７】
（変形例１２）
実施の形態では、便座裏洗浄後に便座裏乾燥を実行する場合について説明したが、これに限られない。例えば、便器洗浄後に便座裏乾燥が実行されてもよい。例えば動作制御部７４は、便器洗浄を開始してから所定時間（便器洗浄が確実に終了している時間）が経過してから、便座裏乾燥を開始させればよい。
【００８８】
（変形例１３）
さらなる変形例として、便座ユニット１６が、便座裏洗浄ユニット４２と、制御部７０のうちの便座裏洗浄ユニット４２を制御する機能を備えていてもよい。つまり、便座ユニット１６が、便座裏洗浄を実行可能に構成されていてもよい。
【００８９】
実施の形態および変形例により具体化される発明を一般化すると、以下の技術的思想が導かれる。
本発明のある態様の便器装置は、便鉢を有する便器本体と、便座と、便座が閉状態にあるときに、便器本体と便座とに挟まれるシール部材と、便座を便器本体に押し付けるための押し付け機構と、を備える。この態様によると、シール部材と便座および便器本体との密着度が上がり、例えば便座裏洗浄や便器洗浄の洗浄液が便座と便器本体との間から漏れ出るのが抑止される。
【００９０】
シール部材は、環状に形成され、便座が閉状態にあるときに、便器本体と便座とに全周にわたって挟まれる。この態様によると、例えば便座裏洗浄や便器洗浄の洗浄液が便座と便器本体との間から漏れ出るのがより確実に抑止される。
【００９１】
押し付け機構は、便座を開閉させるためのモータを含み、便座を閉じるときに当該モータのモータ軸を回転させる回転方向にモータ軸を回転し続けることにより便座を便器本体に押し付ける。この態様によると、専用の機構を別途設けることなく、便座を便器本体に押し付けることができる。
【００９２】
押し付け機構は、便座が便器本体に押し付けられた状態でロックするロック機構を含んでもよい。
【００９３】
便器本体は、外側上面と、外側上面の内側、かつ、下方に位置する内側上面と、を有してもよい。シール部材は、内側上面と便座との間に設けられてもよい。この場合、仮にシール部材の外側に洗浄液が漏れ出ても、洗浄液は便器本体の段部によりせき止められる。つまり、この態様によれば、洗浄液の漏れ出しをより確実に抑止できる。
【００９４】
便座の裏面に洗浄液を供給することにより当該裏面を洗浄する便座裏洗浄機構を備えてもよい。押し付け機構は、便器本体または便座の裏面の洗浄中に、便座を便器本体に押し付ける。
【符号の説明】
【００９５】
１０  便器装置、  １２  便鉢、  １４  便器本体、  １６  便座ユニット、  ２２  便座、  ４０  モータ、  ４２  便座裏洗浄ユニット、  ７０  制御部、  ７４  動作制御部、  ８０  ロック機構。
【図１】
2019177010.tif 000003
【図２】
2019177010.tif 000004
【図３】
2019177010.tif 000005
【図４】
2019177010.tif 000006
【図５】
2019177010.tif 000007
【図６】
2019177010.tif 000008
【図７】
2019177010.tif 000009
【図８】
2019177010.tif 000010
【図９】
2019177010.tif 000011